(57)【特許請求の範囲】
【請求項１】
ポンプを駆動することによりノズルから水を吐出して口腔を洗浄する口腔洗浄器本体の下部の外周に上面を開口せる有底筒状のタンクを上下にスライド自在に装着し、上記ノズルを収納するためのノズル収納部を口腔洗浄器本体の外周面に上下方向に凹設し、タンクを上にスライドさせたときタンクがノズル収納部の下部にオーバラップする位置までスライドする口腔洗浄器であって、ノズル収納部の上部が開口し、口腔洗浄器本体の上部に装着したキャップでノズル収納部に収納したノズルを保持し得るようにして成ることを特徴とする口腔洗浄器。
【請求項２】
キャップが口腔洗浄器本体の上部に回転自在に装着され、キャップの外周にノズル収納部の上端に対応する切り欠きを設けると共にキャップの天面にノズルを装着するための開口穴を設けて成ることを特徴とする請求項１記載の口腔洗浄器。
【発明の詳細な説明】
【０００１】
【発明の属する技術分野】
本発明はノズルから水を吐出して口腔を洗浄する口腔洗浄器に関し、詳しくはこれにおいて水を吐出するノズルを収納する構造に関するものである。
【０００２】
【従来の技術】
従来のこの種の口腔洗浄器は図８に示すように口腔洗浄器本体１の側部にタンク２が一体に設けられており、口腔洗浄器本体１の上端にはノズル（図示せず）を接続する接続口３が設けられている。口腔洗浄器本体１の本体ハウジング４内にはタンク２内の水を吸引して加圧するポンプ５と、ポンプ５を駆動するモータ６と、モータ６の回転動作をポンプ５に伝達させる駆動ブロック７と、電源部となる充電池等が収納される電池収納部８が内蔵されている。ここで、上記モータ６の出力軸にはピニオン９が固着され、該ピニオン９はフェイスギア１０と噛合し、フェイスギア１０の回転中心には軸ピン１１がフェイスギア１０を貫通して設けられている。フェイスギア１０にはコンロッド１２が係合する円形突起１３が設けられ、且つこの円形突起１３の回転中心はフェイスギア１０の回転中心とは一致させずに偏心させてある。そして、コンロッド１２の下部は上記フェイスギア１０の円形突起１３に回転自在に係合されると共に、コンロッド１２の上部はポンプ５内部の円筒状のピストン１４に係合されている。このピストン１４は、ポンプ５内壁を摺動自在に往復運動を行って水の圧縮をするものである。またポンプ５の上部には吸入弁１５と吐出弁１６とが設けられている。吸入弁１５は吸い上げチューブ１７を介してタンク２に水路的に連結されており、タンク２の上部には給水のための給水蓋１８が開閉自在に設置されている。また本体ハウジング４の外にはモータ６のオン、オフをするスイッチＳＷが設けられている。モータ６を駆動すると、ポンプ５が駆動され、タンク２内の水が吸い上げチューブ１７を介してポンプ５に吸引され、ポンプ５から吐出する水が接続口３に接続したノズルから吐出して口腔の洗浄を行うことができる。
【０００３】
【発明が解決しようとする課題】
ところで、上記のように使用する口腔洗浄器は、使用後、口腔洗浄器を携帯するためにはノズルを取り付けたままでは全長が長くなって、不便なためにノズルを接続口３から取り外すが、ノズルを取り外したとき、ノズルの収納場所がなく、ノズルを紛失するおそれがあった。
【０００４】
また、上記のように容量のあるタンク２を口腔洗浄器本体１の側部に一体に設けると、口腔洗浄器全体のサイズが大きくなる（太さが太くなる）ため、使用時に持ちにくいという問題があり、携帯するときに嵩張るという問題があった。
【０００５】
本発明は上記の点に鑑みてなされたものであり、ノズルを取り外した状態でノズルを収納して邪魔にならないようにできると共に衛生的に保管でき、しかもノズルを紛失するおそれのない口腔洗浄器を提供することを課題とする。
【０００６】
【課題を解決するための手段】
上記課題を解決するため本発明の口腔洗浄器は、ポンプ５を駆動することによりノズル２２から水を吐出して口腔を洗浄する口腔洗浄器本体１の下部の外周に上面を開口せる有底筒状のタンク２を上下にスライド自在に装着し、上記ノズル２２を収納するためのノズル収納部３０を口腔洗浄器本体１の外周面に上下方向に凹設し、タンク２を上にスライドさせたときタンク２がノズル収納部３０の下部にオーバラップする位置までスライドする口腔洗浄器であって、ノズル収納部３０の上部が開口し、口腔洗浄器本体１の上部に装着したキャップ３１でノズル収納部３０に収納したノズル２２を保持し得るようにして成ることを特徴とする。口腔洗浄器の使用後にノズル２２を取り外してノズル２２をノズル収納部３０に収納することができるものであって、ノズル２２を収納して邪魔にならないようにできると共に衛生的に保管できる。また、ノズル収納部３０にノズル２２を収納し、ノズル収納部３０の下部にオーバラップさせるようにタンク２を上にスライドさせることでノズル収納部３０内にノズル２２を保持でき、ノズル２２の紛失を防止できる。さらに口腔洗浄本体１の下部から伸ばすようにタンク２を下にスライドさせることによりタンク２に水を給水して溜める使用状態にでき、タンク２の容量を確保しつつ、使用時の握りやすい細さを確保して便利に使用できる。また縮めるようにタンク２を上にスライドさせることにより使用しない収納状態にでき、収納時は全長を短くして携帯に便利にできる。また口腔洗浄器本体１の上部に装着したキャップ３１でノズル収納部３０に収納したノズル２２をノズル収納部３０に確実に収納保持できる。
【０００８】
またキャップ３１が口腔洗浄器本体１の上部に回転自在に装着され、キャップ３１の外周にノズル収納部３０の上端に対応する切り欠き３２を設けると共にキャップ３１の天面にノズル２２を装着するための開口穴３３を設けて成ることを特徴とすることも好ましい。
【０００９】
【発明の実施の形態】
以下、本発明の実施の形態を説明する。
【００１０】
図１、図２は参考例を示し、図３は実施の形態の一例を示し、図４乃至図７は他の例を示すが、先ず図４により口腔洗浄器の構造を説明する。
【００１１】
口腔洗浄器本体１は、タンク２内の水を吸引して加圧するポンプ５、ポンプ５を駆動するモータ６、モータ６の回転動作をポンプ５に伝達させる駆動ブロック７、電源部となる充電池等を収納する電池収納部（図示せず）を円筒状の本体ハウジング４内に内蔵させて形成されている。口腔洗浄器本体１の上端部には接続口３が設けられており、水を吐出するノズル２２を着脱自在に接続できるようになっている。このノズル２２はノズル本体２２ａと鍔部２２ｂと差し込み部２２ｃを一体に設けて形成され、差し込み部２２ｃを接続口３に差し込んで接続できるようになっている。上記モータ６の出力軸にはピニオン９が固着され、該ピニオン９はフェイスギア１０と噛合し、フェイスギア１０の回転中心には軸ピン１１がフェイスギア１０を貫通して設けられている。フェイスギア１０にはコンロッド１２が係合する円形突起１３が設けられ、且つこの円形突起１３の回転中心はフェイスギア１０の回転中心とは一致させずに偏心させてある。そして、コンロッド１２の下部は上記フェイスギア１０の円形突起１３に回転自在に係合されると共に、コンロッド１２の上部はポンプ５内部の円筒状のピストン１４に係合されている。このピストン１４は、ポンプ５内壁を摺動自在に往復運動を行って水の圧縮をするものである。またポンプ５の上部には吸入弁１５と吐出弁１６とが設けられている。吸入弁１５を設けた部分からポンプ吸い込み口２３を一体に連出してあり、本体ハウジング４内には上下に長い連通管２１を連通管２１の下端が本体ハウジング４の下端に至るように形成してあり、ポンプ吸い込み口２３を連通管２１の上端に接続してある。また本体ハウジング４の外にはモータ６のオン、オフをするスイッチＳＷが設けられている。
【００１２】
本体ハウジング４の略下半部の外周には外径を細くした凹段部２４を設けてあり、この凹段部２４には上面を開口せる有底円筒状のタンク２を上下にスライド自在に被嵌して装着してある。凹段部２４には上下方向に複数条のスライド溝２５を凹設してあり、タンク２の内面の上端にはフック２６を設けてあり、フック２６をスライド溝２５にスライド自在に嵌合してあり、これによりタンク２が上下にスライドするときガイドされると共にタンク２を上端までスライドさせた収納状態やタンク２を下端までスライドさせた使用状態で位置決めされるようになっている。タンク２を最上部までスライドさせたとき、フック２６がスライド溝２５の上端の突起部（図示せず）に係止し得るようになっている。タンク２の下部の側面には給水口２７を設けてあり、この給水口２７を開閉自在な給水蓋１８にて閉塞してある。吸い上げパイプ１９はタンク２内に配置してあると共に吸い上げパイプ１９を連通管２１の下端から連通管２１内に上下に出入り自在に挿通してある。連通管２１内にはコイルバネよりなるバネ２０を内装してあり、バネ２０にて吸い上げパイプ１９を下方に付勢してあって、吸い上げパイプ１９の下端をタンク２の底面に押し付けてある。この連結管２１の内面は上部の内径が大きく下部の内径が小さくなるように形成されており、また吸い上げパイプ１９の上端の外周にはシールするためのＯリング２８が取り付けられており、吸い上げパイプ１９が下方に移動して出た状態ではＯリング２８が連通管２１の内面に接触されてシールされるが、吸い上げパイプ１９が上方に移動して入った状態ではＯリング２８が連通管２１の内面に接触せずシールされないようになっている。
【００１３】
上記のように口腔洗浄器が構成されるが、使用状態ではタンク２を下方に移動させて伸ばした状態になっており、タンク２内に所定の内容積を確保できるようになっている。この状態ではバネ２０による付勢にて吸い上げパイプ１９が連通管２１から下方に突出しており、吸い上げパイプ１９がタンク２内から水を吸い上げることができる状態になっている。この状態で給水口２７から水を給水してタンク２内に水を溜めて使用することができる。そしてポンプ５を駆動すると、タンク２内の水が吸い上げパイプ１９にて吸い上げられて連通管２１を介してポンプ５に吸い込まれ、接続口３を介してノズル２２から水が吐出されて口腔洗浄行うことができる。このようにすることで、タンク２の容積を確保しつつ、使用時も握りやすい細さを確保できて便利に使用することができる。また収納状態ではタンク２内の水を空にしてタンク２を上にスライドさせてタンク２が口腔洗浄器本体１の下部外周に重なるようになっている。このときバネ２０に抗して吸い上げパイプ１９が連通管２１内に収まる。このように収納することで長さを短くして携帯に便利にできる。
【００１４】
上記のように口腔洗浄器が構成されるが、口腔洗浄器本体１から取り外したノズル２２を収納するために次のような構造を採用している。図１、図２の参考例では口腔洗浄器本体１の外周面には上下方向に長いノズル収納部３０が凹設されている。このノズル収納部３０の上端が口腔洗浄器本体１の上端近くまで至っているが、ノズル収納部３０の上端は上壁で閉塞されている。ノズル収納部３０の下部は凹段部２４の中程まで至っている。口腔洗浄器の使用状態ではノズル２２の差し込み部２２ｃを接続口３に差し込んで図１に示すようにノズル２２が口腔洗浄器本体１に装着されていると共にタンク２を下にスライドさせてあるが、ノズル２２を収納する際、差し込み部２２ｃを接続口３から抜いてノズル２２を取り外し、ノズル２２をノズル収納部３０に収納する。ノズル２２をノズル収納部３０に収納したとき差し込み部２２ｃの方が上になるように収納する。ノズル２２をノズル収納部３０に収納した状態でタンク２を上にスライドさせて図２に示すようにノズル収納部３０の下部の外周をタンク２にて覆う。このようにノズル２２をノズル収納部３０に収納することでノズル２２はノズル収納部３０の上端の上壁とタンク２とで囲まれ、ノズル収納部３０からノズル２２が脱落しないようにノズル２２を収納することができる。
【００１５】
図３の実施の形態の一例では次の構造を採用している。この例の場合、ノズル収納部３０の上端は口腔洗浄器本体１の上端まで至っており、ノズル収納部３０の上端が開放されている。また口腔洗浄器本体１の上端にはこの上端を覆うようにキャップ３１が着脱自在に取り付けられている。口腔洗浄器の使用状態ではキャップ３１が口腔洗浄器本体１から取り外され、接続口３に差し込み部２２ｃを差し込むことでノズル２２が口腔洗浄器本体１に装着されている。使用後はノズル２２を口腔洗浄器本体１から取り外してノズル２２をノズル収納部３０に収納する。この場合、タンク２を上に引き上げるようにスライドさせ、キャップ３１を口腔洗浄器本体１の上端に被嵌するように装着することでノズル２２がノズル収納部３０に確実に収納保持される。またこの場合の収納動作はキャップ３１を取り外した状態で、タンク２を上に引き上げた後に行うことができ、口腔洗浄器本体１の上部からノズル２２を挿入して収納することができる。
【００１６】
また図４乃至図７に示す例では次の構造を採用している。この例の場合も、ノズル収納部３０の上端は口腔洗浄器本体１の上端まで至っており、ノズル収納部３０の上端が開放されている。口腔洗浄器本体１の上端にはキャップ３１が被嵌して装着されるが、キャップ３１の周方向に亙るフック３４を口腔洗浄器本体１の上部の全周に亙る溝３５に係合してあり、キャップ３１が回転自在になるように装着してある。キャップ３１には外周の位置で切り欠き３２を設けてあり、天面の位置で開口穴３３を設けてある。切り欠き３２は略半円状であり、ノズル収納部３０の上端の開口と対応する位置でこの開口に略合致する大きさに形成されている。開口穴３３は円穴であり、接続口３と対応する位置でこの接続口３に略合致する大きさに形成されている。図４、図５は口腔洗浄器の使用状態であり、キャップ３１の切り欠き３２とノズル収納部３０とが対応していると共に開口穴３３と接続口３とが対応しており、ノズル２２の差し込み部２２ｃが開口穴３３を介して接続口３に差し込んでノズル２２が口腔洗浄器本体１に装着されていると共にタンク２を下にスライドさせてある。口腔洗浄器を使用した後、収納する場合、タンク２を引き上げるようにスライドさせ、ノズル２２を口腔洗浄器本体１から取り外し、キャップ３１を取り外すことなく、切り欠き３２からノズル２２をノズル収納部３０に収納し、キャップ３１を回転してキャップ３１の外周の切り欠き３２の位置を図７に示すようにノズル収納部３０に対して周方向にずらし、ノズル２２を確実に収納することができる。このとき、図７に示すようにキャップ３１の天面の開口穴３３は口腔洗浄器本体１の接続口３からずれた位置にくるために、接続口３をキャップ３１で塞ぐこととなり、接続口３へのほこりの浸入を防ぐことができる。また再度使用するときはキャップ３１の外周の切り欠き３２とノズル収納部３０を合わせると、キャップ３１の天面の開口穴３３と口腔洗浄器本体１の接続口３とが一致するためにノズル２２の取り出しとノズル２２の装着が１回のキャップ３１の回転操作でできる。
【００１７】
【発明の効果】
上記のように本発明は、ポンプを駆動することによりノズルから水を吐出して口腔を洗浄する口腔洗浄器本体の下部の外周に上面を開口せる有底筒状のタンクを上下にスライド自在に装着し、上記ノズルを収納するためのノズル収納部を口腔洗浄器本体の外周面に上下方向に凹設し、タンクを上にスライドさせたときタンクがノズル収納部の下部にオーバラップする位置までスライドするようにしているので、ノズルを取り外してノズルをノズル収納部に収納することができるものであって、ノズルを収納して邪魔にならないようにできると共に衛生的に保管できるものであり、しかもノズル収納部にノズルを収納し、ノズル収納部の下部にオーバラップさせるようにタンクを上にスライドさせることでノズル収納部内にノズルを保持できてノズルの紛失を防止できるものであり、また口腔洗浄器本体の下部から伸ばすようにタンクを下にスライドさせることによりタンクに水を給水して溜める使用状態にでき、タンクの容量を確保しつつ、使用時の握りやすい細さを確保して便利に使用できるものであり、また縮めるようにタンクを上にスライドさせることにより使用しない収納状態にでき、収納時は全長を短くして携帯に便利にできるものである。また口腔洗浄器本体の上部に装着したキャップでノズル収納部に収納したノズルをノズル収納部に確実に収納保持できる。
【図面の簡単な説明】
【図１】  参考例の使用状態の正面図である。
【図２】  同上の収納状態の正面図である。
【図３】  本発明の実施の形態の一例の収納状態の正面図である。
【図４】  同上の他の例の断面図である。
【図５】  図４の正面図である。
【図６】  同上のキャップの平面図である。
【図７】  同上のキャップの動作を説明する平面図である。
【図８】  従来例の縦断面図である。
【符号の説明】
１  口腔洗浄器本体
２  タンク
５  ポンプ
２２  ノズル
３０  ノズル収納部
３１  キャップ
３２  切り欠き
３３  開口穴
【図１】
0003775057.tif 000002
【図２】
0003775057.tif 000003
【図３】
0003775057.tif 000004
【図４】
0003775057.tif 000005
【図５】
0003775057.tif 000006
【図６】
0003775057.tif 000007
【図７】
0003775057.tif 000008
【図８】
0003775057.tif 000009